【手続補正書】
【提出日】平成19年4月20日(2007.4.20)
【手続補正１】
【補正対象書類名】特許請求の範囲
【補正対象項目名】全文
【補正方法】変更
【補正の内容】
【特許請求の範囲】
【請求項１】
複数の並行に配列された走査線と該複数の走査線にそれぞれ交差するように並行に配列された複数の信号線との各交差部に配列された表示手段と光検知手段を有し、これら複数の表示手段により画像を表示画面に表示するとともに、表示画面に照射される光を前記複数の光検知手段により検知し、この検知情報により情報入力を行うことができる光入力機能付き表示装置であって、
先端から光を照射するようになっていて、該先端を前記表示画面に押し付けた場合に、この押付け力に応じて前記先端からの光の前記表示画面における受光強度または受光領域が変化する光源手段と、
前記先端からの光の前記表示画面における受光強度または受光領域を前記複数の光検知手段からの光検知信号に基づき検出する受光検出手段と、
この検出した受光強度または受光領域に基づき前記光源手段と表示画面との間の距離を算出する距離算出手段と
を有することを特徴とする光入力機能付き表示装置。
【請求項２】
複数の並行に配列された走査線と該複数の走査線にそれぞれ交差するように並行に配列された複数の信号線との各交差部に配列された表示手段と光検知手段を有し、これら複数の表示手段により画像を表示画面に表示するとともに、表示画面に照射される光を前記複数の光検知手段により検知し、この検知情報により情報入力を行うことができる光入力機能付き表示装置であって、
先端を前記表示画面に所定の値以上の押付け力で押し付けた場合に前記先端から光を出力する光源手段と、
前記先端からの光の前記表示画面における受光強度または受光領域を前記複数の光検知手段からの光検知信号に基づき検出する受光検出手段と、
この検出した受光強度または受光領域に基づき前記光源手段と表示画面との間の距離を算出する距離算出手段と
を有することを特徴とする光入力機能付き表示装置。
【請求項３】
前記距離算出手段は、
前記受光検出手段で検出した受光強度が所定の値以上である面積を算出するかまたは前記受光検出手段で検出した受光領域の面積を算出する面積算出手段と、
この算出した面積に基づき前記光源手段と表示画面との間の距離を算出する面積準拠距離算出手段と
を有することを特徴とする請求項１または２記載の光入力機能付き表示装置。
【請求項４】
前記受光検出手段で検出した受光強度または受光領域に基づき前記光が照射した表示画面上の位置を算出する位置算出手段を有することを特徴とする請求項１乃至３のいずれか１項に記載の光入力機能付き表示装置。
【請求項５】
前記光検知手段の動作と前記光源手段からの光の照射動作とを同期して制御する制御手段を有し、
前記受光検出手段は、前記光検知手段の動作に同期して光の照射動作が制御される前記光源手段の先端からの光の前記表示画面における受光強度または受光領域を検出する同期手段を有し、
前記距離算出手段は、前記同期手段で検出した受光強度または受光領域に基づき前記光源手段と表示画面との間の距離を算出する手段を有する
ことを特徴とする請求項１乃至４のいずれか１項に記載の光入力機能付き表示装置。
【請求項６】
前記複数の光検知手段の動作と前記光源手段からの光照射動作とを同期して制御する制御手段を有し、
前記受光検出手段は、前記動作タイミングに同期して光の照射動作が制御される前記光源手段の先端からの光の前記表示画面における受光強度または受光領域を検出する同期手段を有し、
前記位置算出手段は、前記同期手段で検出した受光強度または受光領域に基づき前記光が照射した表示画面上の位置を算出する手段を有する
ことを特徴とする請求項１乃至５のいずれか１項に記載の光入力機能付き表示装置。
【請求項７】
前記制御手段は、前記光源手段を前記光検知手段の動作に同期して点滅させるように制御する光源点滅制御手段を有することを特徴とする請求項５または６記載の光入力機能付き表示装置。
【請求項８】
前記制御手段は、前記複数の光検知手段を順次１周動作させるフレーム周期の２倍の周期で同期させて前記光源手段を点滅させるように制御する２倍周期点滅制御手段を有することを特徴とする請求項５または６記載の光入力機能付き表示装置。
【請求項９】
前記光源手段は、前記先端からの光が表示画面を照射した場合において表示画面に投影される光の形状が十文字状のスリット形状と該十文字状のスリット形状の交点を中心として対向しかつ隣接するスリットの間に形成された比較的小径の光点形状となるように十文字形スリットとこの十文字形スリットの交点を中心として対向しかつ隣接するスリットの間に形成された小径開口部が前記先端に形成され、
前記光入力機能付き表示装置は、
前記十文字状のスリット形状と小径の光点形状に合致するマッチング用パターンを予め記憶するパターン記憶手段と、
前記光検知手段で検知された光検知信号によるパターンを前記パターン記憶手段に記憶されているマッチング用パターンと照合し、光検知手段で検知した光検知信号によるパターンが前記マッチング用パターンに合致する前記十文字状のスリット形状と小径の光点形状を有するものであるか否かを判定する照合手段と、
この照合において前記マッチング用パターンに合致するパターンの光検知信号のみを前記光源手段からの正規の光として検知した信号であると判定する判定手段と
を有することを特徴とする請求項１乃至８のいずれか１項に記載の光入力機能付き表示装置。
【請求項１０】
前記光源手段は、内部に光を発生する光源部を有するペン型の構造体であり、当該光源手段の先端は、先細の円錐状または角錐状に形成され、この円錐状または角錐状の先端部に開口部が形成され、この開口部から光が透過可能な棒状の透明なペン先が突出し、このペン先が突出した開口部の周囲の円錐状または角錐状の先端部は開口部から所定の位置まで光が透過し得るように透明な光透過部として形成され、前記ペン先は付勢手段により開口部から所定距離外部に突出するように押動され、ペン先が前記付勢手段により押動されて開口部から所定距離以上外部に突出している場合には前記光源部はオフとなって光を発生せず、ペン先が前記付勢手段に抗して前記表示画面に所定の値以上の押付け力で押し付けられて開口部内に押動されると、前記光源部はオンとなって光を発生し、この光が前記先端部の光透過部および透明なペン先を通過して前記表示画面を照射するように構成されていることを特徴とする請求項１乃至８のいずれか１項に記載の光入力機能付き表示装置。
【請求項１１】
前記表示手段が薄膜トランジスタ、液晶容量、補助容量を備えた液晶画素部を有し、前記光検知手段は、光電変換素子、電荷蓄積容量、増幅トランジスタ、切替トランジスタ、プリチャージ用トランジスタを備えた光検知部を有することを特徴とする請求項１乃至１０のいずれか１項に記載の光入力機能付き表示装置。
【請求項１２】
複数の並行に配列された走査線と該複数の走査線にそれぞれ交差するように並行に配列された複数の信号線との各交差部に配列された表示手段と光検知手段を有し、これら複数の表示手段により画像を表示画面に表示するとともに、表示画面に照射される光を前記複数の光検知手段により検知し、この検知情報により情報入力を行うことができる表示装置であって、
前記表示画面における受光強度または受光領域を前記複数の光検知手段からの光検知信号に基づき検出する受光検出手段と、
この検出した受光強度または受光領域に基づき前記光源手段と表示画面との間の距離を算出する距離算出手段と
を有することを特徴とする表示装置。
【請求項１３】
前記距離算出手段は、
前記受光検出手段で検出した受光強度が所定の値以上である面積を算出するかまたは前記受光検出手段で検出した受光領域の面積を算出する面積算出手段と、
この算出した面積に基づき前記光源手段と表示画面との間の距離を算出する面積準拠距離算出手段と
を有することを特徴とする請求項１２記載の表示装置。
【請求項１４】
前記受光検出手段で検出した受光強度または受光領域に基づき前記光が照射した表示画面上の位置を算出する位置算出手段を有することを特徴とする請求項１２または１３記載の表示装置。
【請求項１５】
先端から光を照射するようになっていて、該先端を任意の部分に押し付けた場合に、この押付け力に応じて前記先端からの光の前記任意の部分における受光強度または受光領域が変化する光源手段を有することを特徴とする光源装置。
【請求項１６】
前記光源手段は、内部に光を発生する光源部を有するペン型の構造体であり、先端が、先細の円錐状または角錘状に形成され、この円錐状または角錘状の先端部に開口部が形成され、この開口部から光が透過可能な棒状の透明なペン先が突出し、このペン先が突出した開口部の周囲の円錐状または角錘状の先端部は開口部から所定の位置まで光が透過し得るように透明な光透過部として形成され、前記ペン先が付勢手段により開口部から所定距離外部に突出するように押動され、ペン先が前記付勢手段に抗して前記任意の部分に所定の値以上の押付け力で押し付けられて開口部内に押動されると、前記光源部がオンとなって光を発生し、この光が前記先端部の光透過部および透明なペン先を通過して前記任意の部分を照射するように構成されていることを特徴とする請求項１５記載の光源装置。
【手続補正２】
【補正対象書類名】明細書
【補正対象項目名】００１０
【補正方法】変更
【補正の内容】
【００１０】
請求項２記載の本発明の光入力機能付き表示装置は、複数の並行に配列された走査線と該複数の走査線にそれぞれ交差するように並行に配列された複数の信号線との各交差部に配列された表示手段と光検知手段を有し、これら複数の表示手段により画像を表示画面に表示するとともに、外部から表示画面に照射される光を前記複数の光検知手段により検知し、この検知情報により情報入力を行うことができる光入力機能付き表示装置であって、先端を前記表示画面に所定の値以上の押付け力で押し付けた場合に前記先端から光を出力する光源手段と、前記先端からの光の前記表示画面における受光強度または受光領域を前記複数の光検知手段からの光検知信号に基づき検出する受光検出手段と、この検出した受光強度または受光領域に基づき前記光源手段と表示画面との間の距離を算出する距離算出手段とを有することを要旨とする。
【手続補正３】
【補正対象書類名】明細書
【補正対象項目名】００２４
【補正方法】変更
【補正の内容】
【００２４】
請求項１６記載の本発明の光源装置は、前記光源手段が、内部に光を発生する光源部を有するペン型の構造体であり、先端が、先細の円錐状または角錘状に形成され、この円錐状または角錘状の先端部に開口部が形成され、この開口部から光が透過可能な棒状の透明なペン先が突出し、このペン先が突出した開口部の周囲の円錐状または角錘状の先端部は開口部から所定の位置まで光が透過し得るように透明な光透過部として形成され、前記ペン先が付勢手段により開口部から所定距離外部に突出するように押動され、ペン先が前記付勢手段に抗して前記任意の部分に所定の値以上の押付け力で押し付けられて開口部内に押動されると、前記光源部がオンとなって光を発生し、この光が前記先端部の光透過部および透明なペン先を通過して前記任意の部分を照射するように構成されていることを要旨とする。